(57)【特許請求の範囲】
【請求項１】
車輪又は脚を有する第１の移動体と、
動力源、及び、この動力源の動力によって駆動される駆動輪を有する第２の移動体と、を備え、
前記第1の移動体には、前記第２の移動体を搭載するための搭載部と、前記搭載部に搭載された前記第２の移動体を固定する固定手段の一部と、この固定手段によって固定された前記第２の移動体の駆動輪に係合し当該駆動輪の回転によって回転駆動される入力用回転体と、この入力用回転体から入力された動力を当該第１の移動体の車輪又は脚に伝達する動力伝達機構と、が設けられ、
前記固定手段は、
前記第２の移動体のフロアパネルに形成された一の穴と、
前記第１の移動体に形成された台部および一の突起とを有し、
前記一の突起には、搭載される前記第２の移動体のフロアパネルの下面に沿う一方向に向けて突出する爪部が形成され、
前記第２の移動体のフロアパネルの下面が前記台部に当接している状態で、前記一の突起を前記一の穴に挿入した位置から前記爪部の突出方向とは反対側に向けて前記第２の移動体を移動させた場合に、前記一の突起の爪部が当該一の穴の縁に係止されるように構成されていることを特徴とする移動玩具。
【請求項２】
車輪又は脚を有する第１の移動体と、
動力源、及び、この動力源の動力によって駆動される駆動輪を有する第２の移動体と、を備え、
前記第1の移動体には、前記第２の移動体を搭載するための搭載部と、前記搭載部に搭
載された前記第２の移動体を固定する固定手段の一部と、この固定手段によって固定された前記第２の移動体の駆動輪と一体的に回転する出力用回転体に係合し当該出力用回転体の回転によって回転駆動される入力用回転体と、この入力用回転体から入力された動力を当該第１の移動体の車輪又は脚に伝達する動力伝達機構と、が設けられ、
前記固定手段は、
前記第２の移動体のフロアパネルに形成された一の穴と、
前記第１の移動体に形成された台部および一の突起とを有し、
前記一の突起には、搭載される前記第２の移動体のフロアパネルの下面に沿う一方向に向けて突出する爪部が形成され、
前記第２の移動体のフロアパネルの下面が前記台部に当接している状態で、前記一の突起を前記一の穴に挿入した位置から前記爪部の突出方向とは反対側に向けて前記第２の移動体を移動させた場合に、前記一の突起の爪部が当該一の穴の縁に係止されるように構成されていることを特徴とする移動玩具。
【請求項３】
前記出力用回転体および前記入力用回転体は互いに噛合する歯車で構成されていることを特徴とする請求項２に記載の移動玩具。
【請求項４】
前記固定手段は、
前記第２の移動体のフロアパネルに前記一の穴と所定の間隔を持って形成された他の穴と、
前記第１の移動体に形成された他の突起とを有し、
前記他の突起は弾性変形可能な弾性片の先端部に形成され、
前記第２の移動体のフロアパネルの下面に前記他の突起が当接されて前記弾性片が弾性変形し且つ前記第２の移動体のフロアパネルの下面が前記台部に当接している状態で、前記一の突起が前記一の穴に挿入可能となっており、
前記一の突起を前記一の穴に挿入した位置から前記爪部の突出方向とは反対側に向けて前記第２の移動体を移動させた場合に、前記他の突起が弾性復元力で前記他の穴に嵌合されるとともに前記一の突起の爪部が当該第一の穴の縁に係止されるように構成されていることを特徴とする請求項１から３いずれか一項に記載の移動玩具。
【発明の詳細な説明】
【技術分野】
【０００１】
本発明は移動玩具に関するものである。
【背景技術】
【０００２】
従来、移動体として、動力源を有さず車輪等の移動要素を有する自動車玩具および鉄道車両玩具等の手押し式のものが知られている。
また、移動体として、動力源を有するものが知られている。この移動体は、車輪や脚等の移動要素と、この移動要素を駆動させるためのモータやゼンマイばね等の動力源とを備え、動力源の動力によって移動要素を駆動させて走行するように構成されている（例えば、特許文献１）。
【先行技術文献】
【特許文献】
【０００３】
【特許文献１】特開２００７−３７６３３号公報
【発明の概要】
【発明が解決しようとする課題】
【０００４】
手押し式の移動体は、動力源を持たない分、安価である。しかし、手押し式の移動体は、人が手を添えない限り移動しないため、操作が面倒であるという問題がある。
一方、動力源を有する移動体は、人が手を添えなくても移動する。この動力源を有する移動体は、手押し式の移動体に比べて、操作は簡単であるが、動力源を必要とするため、１台当たりの値段が高くなるという問題がある。
なお、移動体を用いる遊びにおいて、２つの移動体を同時に使用することは難しく、遊びに変化を持たせようとする場合には、使用する移動体を取り替えて遊ぶ他はなく、この場合には、多くの種類の移動体を用意しておく必要がある。
【０００５】
本発明は、変化に富む遊びができる安価な移動玩具を提供することを目的としている。
【課題を解決するための手段】
【０００６】
請求項１の発明は、
車輪又は脚を有する第１の移動体と、
動力源、及び、この動力源の動力によって駆動される駆動輪を有する第２の移動体と、を備え、
前記第1の移動体には、前記第２の移動体を搭載するための搭載部と、前記搭載部に搭載された前記第２の移動体を固定する固定手段の一部と、この固定手段によって固定された前記第２の移動体の駆動輪に係合し当該駆動輪の回転によって回転駆動される入力用回転体と、この入力用回転体から入力された動力を当該第１の移動体の車輪又は脚に伝達する動力伝達機構と、が設けられ、
前記固定手段は、
前記第２の移動体のフロアパネルに形成された一の穴と、
前記第１の移動体に形成された台部および一の突起とを有し、
前記一の突起には、搭載される前記第２の移動体のフロアパネルの下面に沿う一方向に向けて突出する爪部が形成され、
前記第２の移動体のフロアパネルの下面が前記台部に当接している状態で、前記一の突起を前記一の穴に挿入した位置から前記爪部の突出方向とは反対側に向けて前記第２の移動体を移動させた場合に、前記一の突起の爪部が当該一の穴の縁に係止されるように構成されていることを特徴とする移動玩具である。
【０００７】
請求項２の発明は、
車輪又は脚を有する第１の移動体と、
動力源、及び、この動力源の動力によって駆動される駆動輪を有する第２の移動体と、を備え、
前記第1の移動体には、前記第２の移動体を搭載するための搭載部と、前記搭載部に搭
載された前記第２の移動体を固定する固定手段の一部と、この固定手段によって固定された前記第２の移動体の駆動輪と一体的に回転する出力用回転体に係合し当該出力用回転体の回転によって回転駆動される入力用回転体と、この入力用回転体から入力された動力を当該第１の移動体の車輪又は脚に伝達する動力伝達機構と、が設けられ、
前記固定手段は、
前記第２の移動体のフロアパネルに形成された一の穴と、
前記第１の移動体に形成された台部および一の突起とを有し、
前記一の突起には、搭載される前記第２の移動体のフロアパネルの下面に沿う一方向に向けて突出する爪部が形成され、
前記第２の移動体のフロアパネルの下面が前記台部に当接している状態で、前記一の突起を前記一の穴に挿入した位置から前記爪部の突出方向とは反対側に向けて前記第２の移動体を移動させた場合に、前記一の突起の爪部が当該一の穴の縁に係止されるように構成されていることを特徴とする移動玩具である。
【０００８】
請求項３の発明は、請求項２に記載の移動玩具であって、前記出力用回転体および前記入力用回転体は互いに噛合する歯車で構成されていることを特徴とする。
【０００９】
請求項４の発明は、請求項１から３いずれか一項に記載の移動玩具であって、
前記固定手段は、
前記第２の移動体のフロアパネルに前記一の穴と所定の間隔を持って形成された他の穴と、
前記第１の移動体に形成された他の突起とを有し、
前記他の突起は弾性変形可能な弾性片の先端部に形成され、
前記第２の移動体のフロアパネルの下面に前記他の突起が当接されて前記弾性片が弾性変形し且つ前記第２の移動体のフロアパネルの下面が前記台部に当接している状態で、前記一の突起が前記一の穴に挿入可能となっており、
前記一の突起を前記一の穴に挿入した位置から前記爪部の突出方向とは反対側に向けて前記第２の移動体を移動させた場合に、前記他の突起が弾性復元力で前記他の穴に嵌合されるとともに前記一の突起の爪部が当該第一の穴の縁に係止されるように構成されていることを特徴とする。
【発明の効果】
【００１０】
本発明によれば、第２の移動体は単独でも移動可能であり、それ自身では移動できない第1の移動体に第２の移動体を載せた際には、第２の移動体の動力源が第１の移動体の動力源としても機能するので、第２の移動体の搭載が、あたかも、第１の移動体に生命力又は活力を与えたようなイメージが醸し出されることになる。
したがって、安価で且つ変化に富む遊びができる移動玩具が実現できることになる。
【図面の簡単な説明】
【００１１】
【図１】本発明に係る移動玩具の一実施の形態を示した斜視図である。
【図２】図１に示した移動玩具の第１の移動体の分解斜視図である。
【図３】図１に示した移動玩具の各動力伝達機構を模式的に示した機構図である。
【図４】図１に示した移動玩具の第１の固定手段を示した図である。
【図５】図１に示した移動玩具において、第２の移動体を第１の移動体に第１の固定手段で固定した状態を示した斜視図である。
【図６】図１に示した移動玩具において、第２の移動体を第１の移動体に第２の固定手段で固定した状態を示した斜視図である。
【発明を実施するための形態】
【００１２】
図１は、実施形態の移動玩具を示した斜視図である。
この移動玩具１は第１の移動体１０および第２の移動体３０を備えている。
第１の移動体１０は、移動要素である前脚１１ａ，１１ｂおよび後脚１１ｃ，１１ｄを有するが、動力源を有していない。一方、第２の移動体３０は、移動要素である４つの車輪３３およびモータ（動力源）３１を有している。
ここで、第１の移動体１０には搭載部が設けられ、この搭載部には第２の移動体３０が搭載可能となっている。
そして、この移動玩具１は、第２の移動体３０を第１の移動体１０に搭載した場合、第２の移動体３０の動力伝達機構Ｂと、第１の移動体１０の動力伝達機構Ａとが互いに係合され、これによって、第２の移動体３０のモータ３１と、第1の移動体１０の前脚１１ａ，１１ｂおよび後脚１１ｃ，１１ｄとが連結され、該モータ３１の動力によって、該前脚１１ａ，１１ｂおよび後脚１１ｃ，１１ｄが駆動されて第１の移動体１０が移動するようになっている。
次に、第２の移動体３０および第１の移動体１０をこの順に詳しく説明する。
【００１３】
まず、第２の移動体３０について説明する。
この第２の移動体３０は自動車玩具として構成されている。この第２の移動体３０は、上述したように４つの車輪３３を有している。
この第２の移動体３０は、図３に示すように、モータ３１と、このモータ３１の動力を後輪軸３３ａに伝達するための歯車列３２とを有している。そして、この第２の移動体３０は、モータ３１の動力を歯車列３２および後輪軸３３ａを介して後側の車輪３３に伝達することによって、走行（移動）することができるようになっている。つまり、この第２の移動体３０の後側の車輪３３は駆動輪となっている。
また、この第２の移動体３０の後輪軸３３ａには、図３に示すように、第２の移動体３０の動力を第１の移動体１０に伝達するための出力歯車（出力用回転体）３２ａが設けられている。この出力歯車３２ａの一部は移動体３０のフロアパネル３０ａから下方に突出している。なお、この実施形態では、出力歯車３２ａは、後側の車輪３３と別体となっていて、後輪軸３３ａに固定して設けられているが、後側の車輪３３と一体となっていてもよい。
この第２の移動体３０においては、歯車列３２と出力歯車３２ａとによって、第２の移動体３０の動力を第１の移動体１０に伝達するための動力伝達機構Ｂが構成されている。
なお、第２の移動体３０のフロアパネル３０ａの前部および後部には、図４に示すように、矩形の穴４１，４２が形成されている。この穴４１，４２は後述の第１の固定手段４０Ａの一部を構成している。
【００１４】
続いて、第１の移動体１０について説明する。
この第１の移動体１０は、図３に示すように、４足歩行の動物玩具またはロボット玩具の形状を有している。この第１の移動体１０は、上述したように、前脚１１ａ，１１ｂおよび後脚１１ｃ，１１ｄを有している。
前脚１１ａ，１１ｂは、胴部本体を形成する箱状のケーシング１２の前部両側に設置され、一方、後脚１１ｃ，１１ｄは、ケーシング１２の後部両側に設置されている。そして、前脚１１ａ，１１ｂと後脚１１ｃ，１１ｄとはリンク１３によって互いに連結されている。
【００１５】
すなわち、前脚１１ａ，１１ｂの上部には上下方向（長手方向）に長孔１４が形成されている。また、前脚１１ａ，１１ｂの上部には、長孔１４の下方で、且つ、該長孔１４の延長線よりも後方の位置に、円形の孔１５が形成されている。一方、後脚１１ｃ，１１ｄの上部には、円形の孔１６が形成され、その上方にも円形の孔１７が形成されている。また、リンク１３の前端部には円形の孔１８が形成され、後端部に筒状の軸１９が形成されている。
また、ケーシング１２の前部には、幅方向外方に向けて突出する円形の軸２０および偏心軸５２ｃが設けられている。左右の偏心軸５２ｃは、該偏心軸５２ｃが付設された回転体５２ｅの中心に位置する軸５２ｆ（図３参照）によって相互に連結されており、左右で位相が１８０度ずれるようにして設けられている。
一方、ケーシング１２の後部には、幅方向外方へ突出する円形の軸２１が設けられている。
そして、前脚１１ａ，１１ｂは、偏心軸５２ｃにリンク１３の孔１８および前脚１１ａ，１１ｂの孔１５をこの順に嵌合させ、該偏心軸５２ｃの先端の雌ねじ５２ｄに雄ねじ２２ａを螺合させるとともに、軸２０に前脚１１ａ，１１ｂの長孔１４を嵌合させ、軸２０の先端の雌ねじ２０ａに雄ねじ２２ｂを螺合させることで、ケーシング１２に取り付けられている。一方、後脚１１ｃ，１１ｄは、リンク１３の軸１９に後脚１１ｃ，１１ｄの孔１７を嵌合させ、軸１９の先端の雌ねじ１９ａに雄ねじ２２ｃを螺合させるとともに、ケーシング１２の軸２１を後脚１１ｃ，１１ｄの孔１６に嵌合させ、軸２１の先端の雌ねじ２１ａに雄ねじ２２ｄを螺合させることで、ケーシング１２に取り付けられている。
【００１６】
また、第１の移動体１０には、図３に示すように、第２の移動体３０からの動力を前脚１１ａ，１１ｂおよび後脚１１ｃ，１１ｄに伝達するための動力伝達機構Ａが設けられている。この動力伝達機構Ａは、ケーシング１２内に配置された歯車列５２と、上記偏心軸５２ｃと、リンク１３とを備えている。動力伝達機構Ａの入力端に位置する入力歯車（入力用回転体）５２ａの一部はケーシング１２の後部上面から突出して設けられている。この入力歯車５２ａは、第２の移動体３０の出力歯車３２ａと噛合可能に構成されている。
【００１７】
次に、第２の移動体３０を第１の移動体１０に固定するための固定手段４０について説明する。
この固定手段４０は、第２の移動体３０を固定するための第１の固定手段４０Ａおよび第２の固定手段４０Ｂから構成されている。このうち第１の固定手段４０Ａは、第１の移動体１０の搭載部に第２の移動体３０を位置決め固定するためのものである。一方、第２の固定手段４０Ｂは、第１の移動体１０の搭載部に第２の移動体３０を固定するものである。このように第１の固定手段４０Ａの他に、第２の固定手段４０Ｂを設けたのは、第２の移動体３０の固定を確実にするためである。どちらか一方のみでも第１の移動体１０の搭載部の所定位置に第２の移動体３０を固定できるのであれば、他方の固定手段を省略することが可能である。
【００１８】
まず、第１の固定手段４０Ａについて説明すれば、この第１の固定手段４０Ａは、図４に示すように、第２の移動体３０のフロアパネル３０ａに形成された第１の穴４１および第２の穴４２と、ケーシング１２の搭載部に形成された第１の突起４３および第２の突起４４と、搭載部における第１の突起４３と第２の突起４４との間に設けられた台部４５とによって構成されている。
台部４５は、搭載部に第２の移動体３０を搭載する際に当該第２の移動体３０のフロアパネル３０ａの下面が当接する部分である。
また、第１の突起４３は、第２の移動体３０のフロアパネル３０ａの下面が台部４５に当接した状態で、第２の移動体３０の第１の穴４１に嵌合可能となっている。この突起４３は、Ｕ字状の弾性片４６の先端部に形成されている。
一方、第２の突起４４は、第２の移動体３０のフロアパネル３０ａの下面が台部４５に当接した状態で、第２の移動体３０の第２の穴４２に挿入可能となっている。この第２の突起４４には、第１の突起４３に向けて突出する爪部４４ａが形成されている。
そして、第２の突起４４は、第２の移動体３０のフロアパネル３０ａの下面に第１の突起４３が当接されて弾性片４６が弾性変形し且つ第２の移動体３０のフロアパネル３０ａの下面が台部４５に当接している状態で、第２の穴４２に挿入される。
また、第１の突起４３は、第２の移動体３０のフロアパネル３０ａの下面が台部４５に当接している状態を保ったまま、第２の突起４４を第２の穴４２に挿入した位置から、爪部４４ａの突出方向とは反対側に向けて第２の移動体３０を移動させた場合、弾性片４６の弾性復元力で第１の穴４１に嵌合される。これと同時に、第２の突起４４の爪部４４ａは、第２の穴４２の縁に係止される。これによって、第２の移動体３０は第１の移動体１０に対して固定される。
【００１９】
一方、第２の固定手段４０Ｂは、第２の移動体３０をケーシング１２に固定保持するためのアーチ状部分を備える保持体４７を備えている。この保持体４７のアーチ状部分は動物玩具又はロボット玩具の背部外郭の形状を有している。また、アーチ状部分の前側部分は動物玩具またはロボット玩具の首部及び頭部の形状を有している。この保持体４７の後端部には孔４７ａが形成されている。一方、ケーシング１２の後端部には、２枚のブラケット１２ａ，１２ｂが平行に設けられ、片方のブラケット１２ａには、ねじ孔１２ｃが形成され、他方のブラケット１２ｂには、雌ねじ（図示せず）が形成されている。
そして、保持体４７は、後端部をブラケット１２ａ，１２ｂ間に挿入した状態で、ねじ孔１２ｃおよび孔４７ａに雄ねじ２２ｅを挿通させ、その雄ねじ２２ｅの先端をブラケット１２ｂの雌ねじに螺合させることによって、ブラケット１２ａ，１２ｂに取り付けられている。この保持体４７は、第１の移動体１０の幅方向に延在する雄ねじ２２ｅを軸として回動可能となっている。
【００２０】
保持体４７の中間部には係合部であるフック４８が形成されている。一方、ケーシング１２の前端面には、他の係合部である突起１２ｄが前方に向けて突出して設けられている。
そして、保持体４７のフック４８は、この突起１２ｄに弾性的に係合されるようになっている。
【００２１】
次に、この移動玩具１の動作を説明する。
図５および図６に示すようにして、第２の移動体３０を固定手段４０によって第１の移動体１０の搭載部に固定すると、第２の移動体３０の出力歯車３２ａが第１の移動体の入力歯車５２ａに噛合する。この状態で、モータ３１が駆動されると、モータ３１の動力は、動力伝達機構Ａ，Ｂを介して回転軸５２ｆに伝達され、偏心軸５２ｃが回転させられる。この偏心軸５２ｃが回転させられると、前脚１１ａ，１１ｂと、この前脚１１ａ，１１ｂにリンク１３を介して連結された後脚１１ｃ，１１ｄとが駆動されて第１の移動体１０が歩行動作を行うことになる。
【００２２】
上記のように構成された移動玩具１によれば、それ自身では移動できない第1の移動体１０に第２の移動体３０を載せた際には、第２の移動体３０のモータ３１が第１の移動体１０の動力源としても機能し、このモータ３１の動力によって、第１の移動体１０が移動することになる。したがって、第２の移動体３０の搭載が、あたかも、第１の移動体１０に生命力又は活力を与えたようなイメージが醸し出されることになる。
【００２３】
以上、本発明の実施形態について説明したが、本発明は、かかる実施形態に限定されるものではなく、その要旨を逸脱しない範囲で種々の変形が可能であることは言うまでもない。
【００２４】
例えば、上記実施形態では、移動要素として脚や車輪の場合を挙げたが、移動要素はキャタピラ等であってもよい。「移動要素」とは、移動体に備えられ、接地面との間に作用する摩擦によって移動体を移動させる要素を言う。
【００２５】
また、上記実施形態では、出力用回転体として出力歯車３２ａを、入力用回転体として入力歯車５２ａを例に挙げたが、出力用回転体および入力用回転体が共にローラであってもよい。さらに、第２の移動体３０の駆動輪と第１の移動体１のローラとを係合させて駆動輪の回転動力をローラに伝達するようにしてもよい。
【００２６】
また、上記実施形態として、動力源がモータ３１の場合を挙げたが、動力源はゼンマイばねであってもよい。この場合、ゼンマイばねはハンドルを回転させることによって蓄圧されるものであっても、プルバックによって蓄圧されるものであってもよい。
【００２７】
また、上記実施形態のモータ３１は、第２の移動体３０に設けられたスイッチによって駆動されるものであっても、コントローラによる遠隔操作によって駆動されるものであってもよい。
【００２８】
また、第１の移動体１０および第２の移動体３０としては、自動車玩具、動物玩具又はロボット玩具の他、単体の種々の移動玩具が適用可能である。
【符号の説明】
【００２９】
１    移動玩具
１０    第１の移動体
１１ａ，１１ｂ    前脚
１１ｃ，１１ｄ    後脚
３０    第２の移動体
３１    モータ
３２ａ    出力歯車
４０    固定手段
５２ａ    入力歯車
５０    動力伝達手段
５０ａ，５０ｂ    動力伝達部
５１    出力歯車
Ａ，Ｂ    動力伝達機構
【図１】
0005750269.tif 000002
【図２】
0005750269.tif 000003
【図３】
0005750269.tif 000004
【図４】
0005750269.tif 000005
【図５】
0005750269.tif 000006
【図６】
0005750269.tif 000007